(57)【要約】【課題】すすぎ性能の向上を図ること。【解決手段】食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する残滓濾過フィルタとを備え、前記残滓濾過フィルタの捕集側には、仕切壁で仕切られた二つの残滓捕集室を設け、前記二つの残滓捕集室はそれぞれ流入口を有し、前記二つの残滓捕集室の流入口を開け閉めする回転扉を設けたことを特徴とする。【選択図】図２
2006081774.tif 000002
【特許請求の範囲】
【請求項１】
食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する回転自在なる残滓濾過体を有し、
前記残滓濾過体は、仕切壁を介して隣接する二つの残滓捕集室を有し、
前記二つの残滓捕集室は、各々流入口を有し、かつ流入口が逆向きであることを特徴とする食器洗い機。
【請求項２】
請求項１記載の食器洗い機において、
前記仕切壁は前記滓濾過体を縦に二分するように存在することを特徴とする食器洗い機。
【請求項３】
請求項１記載の食器洗い機において、
前記二つの残滓捕集室は、前記流入口から奥側に向かって斜に上がる濾過フィルタを有することを特徴とする食器洗い機。
【請求項４】
請求項３記載の食器洗い機において、
前記濾過フィルタのほぼ中央に残滓が溜まる窪み部を設けたことを特徴とする食器洗い機。
【請求項５】
請求項３記載の食器洗い機において、
一方の前記残滓捕集室の前記濾過フィルタは濾目穴が粗く、他方の前記残滓捕集室の前記濾過フィルタは濾目穴が細いことを特徴とする食器洗い機。
【請求項６】
請求項１記載の食器洗い機において、
前記残滓濾過体の上側半分に被さる開閉自在または取り外し自在なる上蓋を有することを特徴とする食器洗い機。
【請求項７】
請求項１記載の食器洗い機において、
前記残滓濾過体は、前記集水部に取り外し自在なることを特徴とする食器洗い機。
【請求項８】
請求項５記載の食器洗い機において、
食器洗い機の運転工程は、洗浄工程とすすぎ工程を有し、
前記洗浄工程では、前記濾目穴が粗い前記残滓捕集室が残滓捕集に用いられ、
前記すすぎ工程では、前記濾目穴が細い前記残滓捕集室が残滓捕集に用いられることを特徴とする食器洗い機。
【請求項９】
請求項１記載の食器洗い機において、
前記残滓濾過体を電動機で回動駆動することを特徴とする食器洗い機。
【請求項１０】
請求項９記載の食器洗い機において、
前記電動機が同期電動機であることを特徴とする食器洗い機。
【請求項１１】
請求項１０記載の食器洗い機において、
前記電動機の運転制御は、時間管理により行うことを特徴とする食器洗い機。
【発明の詳細な説明】
【技術分野】
【０００１】
本発明は、洗浄に伴い出て来る残滓を捕集する残滓濾過フィルタが備わる食器洗い機の改良に係わるものである。
【背景技術】
【０００２】
食器洗い機は、例えば、特許文献１（特開2003-220005号公報）に示されるような構成を有する。
【０００３】
食器洗い機には、残滓濾過フィルタが備わる。洗浄水に含まれる残滓を捕集する残滓濾過フィルタは、洗浄槽の底側の集水部に設けられる。残滓濾過フィルタで、残滓が除かれた洗浄水は洗浄ポンプで加圧されて噴射ノズル体から再び洗浄槽内に噴射されて食器の洗浄が行われる。
【０００４】
【特許文献１】特開2003-220005号公報
【発明の開示】
【発明が解決しようとする課題】
【０００５】
洗浄運転工程、すすぎ運転工程を通じ、残滓濾過フィルタに捕集される残滓は、大部分が洗浄運転工程のもので、すすぎ運転工程で捕集される量は僅かである。すすぎ運転工程では、洗浄運転工程で捕集した残滓が溜まっている残滓濾過フィルタのところにすすぎ水が流されるので、すすぎ性能が落ちる。
【０００６】
本発明は、上記の問題に鑑み、食器洗い機のすすぎ性能の向上を図ることを目的とする。
【課題を解決するための手段】
【０００７】
本発明は、食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する回転自在なる残滓濾過体を有し、前記残滓濾過体は、仕切壁を介して隣接する二つの残滓捕集室を有し、前記二つの残滓捕集室は、各々流入口を有し、かつ流入口が逆向きであることを特徴とする。
【発明の効果】
【０００８】
本発明によれば、二つの残滓捕集室を洗浄工程とすすぎ工程で分けて使うことにより、すすぎが良く行われる。
【発明を実施するための最良の形態】
【０００９】
本発明の実施形態に係わる実施例について、図を引用して説明する。
【００１０】
まず、図１、２に沿って食器洗い機の概要を説明する。この食器洗い機は、卓上に置いて使用する形態のものである。
【００１１】
食器洗い機の外枠１内には、洗浄槽２が備わる。外枠１の前面には、各種のスイッチが備わる操作パネル３が設けられる。
【００１２】
洗浄槽２内には、食器かご（図示せず）が備わる。この食器かごに食器（図示せず）を載置して洗浄を行う。
【００１３】
洗浄槽２の内低部側には、噴射ノズル体４が備わる。噴射ノズル体４は、食器かごの下方に位置する。噴射ノズル体４は、上面側に複数のノズル４ａを有し、このノズル４ａより洗浄水を噴射する。
【００１４】
洗浄ポンプ（図示せず）は、洗浄槽２の下部に設けられ、加圧した洗浄水を噴射ノズル体４に供給する。
【００１５】
洗浄槽２は、底部にヒータ１１が配置されている水溜部５を有する。水溜部５の下流側には集水部６が設けられ、この集水部６には、回転自在なる残滓濾過体フィルタ７が備わる。この残滓濾過体７は、集水部６に流れて来る洗浄水に含まれる残渣を濾過して捕集する。
【００１６】
集水部６の底には、図３に示すように、通水路２０に連通する排水口２１が設けられる。通水路２０は、洗浄ポンプに連通するようにつながる。
【００１７】
図３〜図５に示すように、残滓濾過体７は、円筒形状を有し、かつ仕切壁８を介して隣接する二つの残滓捕集室９，１０を有する。仕切壁８は残滓濾過体７の回転中心を通り、かつ残滓濾過体７を縦に二分するように存在する。残滓捕集室９、１０は、外周側に流入口９Ａ，流入口１０Ｂを有する。流入口９Ａ，流入口１０Ｂは、互いに逆の方向を向くように形成されている。
【００１８】
残滓捕集室９，１０には、濾過フィルタ１１，１２が設けられる。濾過フィルタ１１，１２は、流入口から残滓捕集室の奥側に向かって上るように傾いている。この傾斜する濾過フィルタ１１，１２は、中央に残滓が溜まる窪み部１１Ａ，１２Ｂを有する。残滓捕集室の上部は、流入口側になる半分が開口しているが、残り半分が塞がっている。
【００１９】
濾過フィルタ１１，１２は、濾目穴を有する。濾目穴は、窪み部１１Ａ，１２Ｂにも形成されている。濾過フィルタ１１の濾目穴は、粗め（φ１．５ｍｍ）である。濾過フィルタ１２の濾目穴は、細かめ（φ０．５ｍｍ）である。濾目穴が粗めの残滓捕集室９は、洗浄工程での残滓捕集に使われる。濾目穴が細かめの残滓捕集室１０は、すすぎ工程での残滓捕集に使われる。
【００２０】
残滓濾過体７は、中央に軸ボス１３を有する。軸ボス１３は、残滓濾過体７の回転中心に位置し、前記仕切壁８は、軸ボス１３の中心を通って延在するように置かれる。
【００２１】
残滓濾過体７が、図１，２に示すように残滓捕集室１０の流入口１０Ｂを集水部６の上流側に向くようにセットされたときには、残滓捕集室１０に洗浄水が流入して残滓の捕集が行われる。このときは、すすぎ工程の運転が行われる。この残滓捕集室１０は、すすぎ工程で使われるので、洗浄工程での残滓がなく、良くすすがれる。また、残滓捕集室１０に備わる濾過フィルタの濾目穴は細かめであるので、洗浄工程で濾過されなかった細かな
残滓まで捕られ、更に良くすすがれる。
【００２２】
残滓濾過体７を１８０°回して、残滓捕集室１１の流入口１０Ａを集水部６の上流側に向くようにセットしたときには、残滓捕集室１０に洗浄水が流入して残滓の捕集が行われる。このときは、洗浄工程の運転が行われる。この残滓捕集室１１に備わる濾過フィルタの濾目穴は粗めであるので、捕集残滓による濾目穴の目詰まりが生じにくく、より多くの残滓捕集が効率よく行われる。
【００２３】
また、残滓捕集室１０，１１の濾過フィルタは、奥側に向かって上るように傾斜していので、残滓捕集にともない手前側の低いところから奥側の高いところに移動する。このため、濾過フィルタの広い範囲に亘り、残滓捕集が行われるので、多くの残滓を捕集できる。さらに、濾過フィルタの中央部に設けた窪み部に残滓が溜まるので、多くの残滓を捕集できる。
【００２４】
残滓濾過体７は、集水部６に取り外し自在に設けられているので、集水部６から外して捕集残滓を除去する等の掃除が容易にできる。
【００２５】
図１、図２、図３に示すように集水部６には、上蓋１４が備わる。この上蓋１４は蝶番１５により、開閉自在に支持される。上蓋１４は蝶番１５を用ないで、集水部６に着脱自在に備えることも可能である。残滓濾過体７の掃除の際には、上蓋１４を開いて残滓濾過体７を外す。
【００２６】
上蓋１４は、残滓濾過体７の上側半分に被さるように置かれる。このため、図１に示すように残滓濾過体７は、集水部６の上流側に向かない流入口は上蓋１４は、塞がれる。このため、集水部６の上流側に臨まないように置かれる流入口から洗浄水が流入することがなく、二つの残滓捕集室は、洗浄工程とすすぎ工程での残滓捕集がきちんと分けられて使用されるのである。
【００２７】
図３、図６に沿って残滓濾過体７の駆動装置３０について説明する。
【００２８】
残滓濾過体７の駆動装置３０は、図３に示すように集水部６の下面側にねじ等で固定される。駆動装置３０の駆動軸３１は、連結軸３２を介して残滓濾過体７の軸ボス１３に結合され、残滓濾過体７を駆動する。連結軸３２に備える軸シール３３により、水漏れ防止が図られる。また、軸シール３３により、駆動装置３０の防水も図られる。
【００２９】
駆動装置３０は、図６に示すように、濾過体用電動機３４と、減速手段（図示せず）と、カム３５と、カムスイッチ３６とを有する。濾過体用電動機３４は、同期電動機を用いる。カム３５は、減速手段の出力軸に設ける。カム３５はカム突起３７を有する。カムスイッチ３６は操作レバー３８を有する。カム３５が回転することにより、操作レバー３８はカム突起３７によって動かされる。操作レバー３８の作動に応じてカムスイッチ３６はオン・オフする。減速手段の出力軸は、残滓濾過体７を駆動するところの駆動軸３１になる。
【００３０】
駆動装置３０の駆動により、残滓濾過体７は回される。食器洗い機の洗浄工程では、駆動装置３０が残滓濾過体７を駆動することにより、残滓捕集室９の流入口９Ａが集水部６の上流側に向くように置かれる。また、すすぎ工程では、駆動装置３０が残滓濾過体７を駆動することにより、残滓捕集室１０の流入口１０Ｂが集水部６の上流側に向くように置かれる。
【００３１】
図７に沿い、ブロック制御回路について説明する。
【００３２】
制御手段（マイコン）４０は、入力手段４１、水温センサ４２、水位センサ４３、カムスイッチ３６の各種信号を演算処理して駆動制御手段４４を制御したり、表示手段４５の各種表示を制御する。電源回路４６は、商用電源の交流を低圧の直流に換えて制御手段４０に供給する。
【００３３】
駆動制御手段４４は、制御手段４０の制御指示により、給水弁４７、ポンプ用電動機４８、ヒータ１１、ファン用電動機４９、濾過体用電動機３３を駆動制御する。
【００３４】
図８に沿い、主に残滓濾過体７の駆動制御について説明する。
【００３５】
駆動装置３０の回動によりカム３５が回るので、カムスイッチ３６（原点位置センサ）は、オン・オフする。図８では、カムスイッチ３６のオンをもって検知信号とした。この検知信号は、残滓捕集室１０の流入口１０Ｂが集水部６の上流側に向くように置かれるときに出力される。
【００３６】
残滓捕集室１０の流入口１０Ｂが集水部６の上流側に向くように置かれるところと、残滓捕集室９の流入口９Ａが集水部６の上流側に向くように置かれるところの回転角度θは、１８０°である。カム４４の一回転（２π）で、Ｔ時間かかるとすると、残滓濾過体７が回転角度θ（π）の範囲を移動する時間は１／２Ｔである。駆動装置３０の電動機は同期電動機であるので、時間管理の回転制御により、残滓濾過体７を正確な回転角度に駆動できる。駆動装置３０は、残滓濾過体７を１８０°の角度ピッチで回転させられる。
【００３７】
すすぎ工程では、残滓捕集室１０の流入口１０Ｂが集水部６の上流側に向くように置かれ、制御手段４０は、カムスイッチ３６のオン（検知信号）を受けてすすぎ運転を指示する。
【００３８】
洗浄工程では、残滓捕集室９の流入口９Ａが集水部６の上流側に向くように置かれる。駆動装置３０が１／２Ｔ時間運転すると、残滓捕集室１０の流入口１０Ｂが集水部６の上流側に向くところから残滓捕集室９の流入口９Ａが集水部６の上流側に向くところに移動する。残滓捕集室９の流入口９Ａが集水部６の上流側に向くところに来たとき、駆動装置３０は停止し、洗浄運転が行われる。
【００３９】
残滓濾過体７を駆動する駆動装置の回転制御は、カムスイッチと時間管理によるので、一つのカム突起で実現でき、カムの形状が簡単である。また、残滓濾過体７の回転角度検知は、カムスイッチ３６のオン（検知信号）が検知される都度、原点位置をリセットすることにより、回転角度の精度が向上する。
【図面の簡単な説明】
【００４０】
【図１】本発明の実施形態に係わる実施例を示すもので、食器洗い機の斜視図である。
【図２】本発明の実施形態に係わる実施例を示すもので、上蓋を開放した状態での食器洗い機の斜視図である。
【図３】本発明の実施形態に係わる実施例を示すもので、残滓濾過体の縦断面図である。
【図４】本発明の実施形態に係わる実施例を示すもので、残滓濾過体の平面図である。
【図５】本発明の実施形態に係わる実施例を示すもので、図４の（イ）−（イ）断面図である。
【図６】本発明の実施形態に係わる実施例を示すもので、残滓濾過体の駆動装置を示す図である。
【図７】本発明の実施形態に係わる実施例を示すもので、食器洗い機のブロック制御回路である。
【図８】本発明の実施形態に係わる実施例を示すもので、駆動装置の駆動制御動作を示す図である。
【符号の説明】
【００４１】
２…洗浄槽、４…噴射ノズル体、６…集水部、７…残滓濾過体、８…仕切壁、９，１０…残滓捕集室、９Ａ，１０…流入口。
【図１】
2006081774.tif 000003
【図２】
2006081774.tif 000004
【図３】
2006081774.tif 000005
【図４】
2006081774.tif 000006
【図５】
2006081774.tif 000007
【図６】
2006081774.tif 000008
【図７】
2006081774.tif 000009
【図８】
2006081774.tif 000010